(57)【特許請求の範囲】
【請求項１】
横向き略Ｕ字状の板状体である当接部と、この当接部の両側に互いに対向するように配設された弾性変形可能な板状の一対のクランプ片とを有するコンタクトと、
押圧部材とを備えており、
前記コンタクトの当接部は、前記電極部が当接可能な長さ方向の一端部と、
前記一端部の下側に位置する長さ方向の他端部とを有しており、
前記コンタクトの一対のクランプ片は、前記当接部の他端部の幅方向の両端に連続し、当該当接部の一端部の両側に位置するようになっており、
前記押圧部材は、前記一対のクランプ片を互いに近づく方向に押圧して同方向に傾斜させ、当該クランプ片と前記当接部の一端部との間で前記電極部を挟持させる一対の押圧片を有する
ことを特徴とする接続装置。
【請求項２】
請求項１記載の接続装置において、
前記当接部の前記一端部の先端部が前記クランプ片の先端方向に向けて折り曲げられていることを特徴とする接続装置。
【請求項３】
請求項１記載の接続装置において、
前記一対の押圧片は、互いに対向する内側面であり且つ当該押圧片の肉厚が先端に向けて漸次低減するテーパ面である押圧面を有しており、
前記押圧面が前記一対のクランプ片を互いに近づく方向に押圧して当該押圧面に沿って傾斜させ、当該クランプ片と前記当接部との間で前記電極部を挟持させることを特徴とする接続装置。
【請求項４】
請求項３記載の接続装置において、
前記押圧部材は、前記一対の押圧片の近傍に設けられており且つ前記一対の押圧片が一対のクランプ片を押圧した状態で、前記当接部上の電極部に弾性接触する弾性部を更に有することを特徴とする接続装置。
【請求項５】
基板上に実装される請求項１記載の接続装置において、
前記コンタクトは、前記基板の係止孔の縁部に係止可能な係止部と、
この係止部が前記基板の係止孔の縁部に係止された状態で、当該基板の接点部に弾性接触する接続部とを更に有することを特徴とする接続装置。
【請求項６】
請求項５記載の接続装置において、
前記コンタクトは、前記一対のクランプ片の両側に配置される一対の板部と、
この板部を連結する連結部とを更に有し、
前記一対の板部には一対の前記係止部が各々設けられており、
前記連結部の両端部には、一対の前記接続部が設けられていることを特徴とする接続装置。
【請求項７】
請求項６記載の接続装置において、
前記押圧部材は、その両端部が前記コンタクトの一対の板部に軸支され、前記一対のクランプ片を押圧する押圧位置からこの押圧が解除される解除位置にかけて回動自在になっていることを特徴とする接続装置。
【請求項８】
請求項７記載の接続装置において、
前記両端部及び一対の板部には、前記押圧部材を押圧位置及び解除位置で位置固定する係止手段が設けられていることを特徴とする接続装置。
【請求項９】
基板上に実装される請求項１記載の接続装置において、
前記コンタクトを収容するボディを更に備えており、
前記ボディは、前記基板の係止孔の縁部に係止可能な係止部を有しており、
前記コンタクトは、前記係止部が基板の係止孔の縁部に係止された状態で、当該基板の接点部に弾性接触する接続部を更に有することを特徴とする接続装置。
【請求項１０】
請求項５又は９記載の接続装置において、
前記係止部は、先端部が互いに近づく方向に弾性変形可能な略逆Ｕ字状のアーム部と、
このアーム部の両先端部に各々設けられ、基板の係止孔の長さ方向の両縁部に係止される一対の係止爪とを有することを特徴とする接続装置。
【請求項１１】
請求項９記載の接続装置において、
前記押圧部材が前記ボディに前記一対のクランプ片を押圧する押圧位置からこの押圧が解除される解除位置にかけて回動自在に設けられていることを特徴とする接続装置。
【発明の詳細な説明】
【技術分野】
【０００１】
本発明は、外部電極蛍光ランプ等の電子部品の電極部が接続される接続装置に関する。
【背景技術】
【０００２】
この種の接続装置としては、略逆Ｕ字状のコンタクトの両端部のうちの一端部がカバーに押圧されることにより、前記両端部が電子部品の電極部を挟持するようになっているもの（特許文献１参照）や、コンタクトの一対のクランプ片が自身のバネ力により電子部品の電極部を挟持するようになっているもの（特許文献２参照）等がある。
【０００３】
【特許文献１】特開２００５−１８３０１１号公報
【特許文献２】特開２００５−２５９３７０号公報
【発明の開示】
【発明が解決しようとする課題】
【０００４】
ところが、前者はコンタクトの一端部がカバーに押圧されることにより、当該一端部の先端部が電子部品の電極部の一部に当接するようになっている。このため、外部から負荷が加わると、当該負荷が電極部の一部に集中するという問題があった。この点は、一対のクランプ片の先端部の間で電極部の一部を挟持する後者も同様である。
【０００５】
本発明は、上記事情に鑑みて創案されたものであって、その目的とするところは、外部から負荷が電子部品の電極部の一部に集中するのを防止することができる接続装置を提供することにある。
【課題を解決するための手段】
【０００７】
本発明の接続装置は、横向き略Ｕ字状の板状体である当接部と、この当接部の両側に互いに対向するように配設された弾性変形可能な板状の一対のクランプ片とを有するコンタクトと、押圧部材とを備えており、前記コンタクトの当接部は、前記電極部が当接可能な長さ方向の一端部と、前記一端部の下側に位置する長さ方向の他端部とを有しており、前記コンタクトの一対のクランプ片は、前記当接部の他端部の幅方向の両端に連続し、当該当接部の一端部の両側に位置するようになっており、前記押圧部材は、前記一対のクランプ片を互いに近づく方向に押圧して同方向に傾斜させ、当該クランプ片と前記当接部の一端部との間で前記電極部を挟持させる一対の押圧片を有している。
【０００８】
このような接続装置による場合、押圧部材に押圧されることにより、板状の一対のクランプ片が電子部品の電極部を板状の当接部に押しつけるようになっている。即ち、一対のクランプ片及び当接部により、電極部が３方から面で支持されるようになっているので、外部から負荷が加わったとしても、当該負荷が電極部の一部に集中するのを防止することができる。しかも、一対のクランプ片及び当接部が電極部に対して３方から面接触するようになっていることから、従来例に比べてコンタクトと電極部との安定した電気接続を図ることができる。

【０００９】
前記当接部の一端部の先端部がクランプ片の先端方向に向けて折り曲げられていることが好ましい。この場合、前記当接部の一端部の先端部の折曲部に電子部品の電極部を当接させることにより、当該当接部上で電極部の位置決めを簡単に行うことができる。
【００１０】
前記一対の押圧片は、互いに対向する内側面であり且つ当該押圧片の肉厚が先端に向けて漸次低減するテーパ面である押圧面を有する構成とすることが可能である。前記押圧面が前記一対のクランプ片を互いに近づく方向に押圧して当該押圧面に沿って傾斜させ、当該クランプ片と前記当接部との間で前記電極部を挟持させるようになっている。このように一対の押圧片の押圧面をテーパ面とすることにより、一対の押圧片が一対のクランプ片を互いに近づく方向に容易に押圧することができる。
【００１１】
押圧部材は、一対の押圧片の近傍に設けられており且つ一対の押圧片が一対のクランプ片を押圧した状態で、当接部上の電極部に弾性接触する弾性部を更に有することが好ましい。この場合、弾性部が電極部に弾性接触することにより、当該電極部が当接部に押しつけられるようになっている。よって、前記弾性部により、電極部が当接部に押しつけられることから、この点で更にコンタクトと電極部との安定した電気接続を図ることができる。また、電子部品が外部電極蛍光ランプ等である場合、熱膨張変形等を起因とする浮き上がりを防止することができる。
【００１２】
前記接続装置が基板上に実装される場合、コンタクトは、基板の係止孔の縁部に係止可能な係止部と、この係止部が基板の係止孔の縁部に係止された状態で、当該基板の接点部に弾性接触する接続部とを更に有する形状とすることができる。
【００１３】
このような接続装置による場合、係止部を基板の係止孔の縁部に係止させ、接続部を基板の接点部に弾性接触させるだけで、コンタクトを基板に機械的且つ電気的に接続することができる。よって、コンタクトの接続部を基板の接点部に半田接続する必要がないので、前記接続装置の基板に対する取り付け及び取り外し作業が簡単になる。また、半田不良が生じる恐れがないので、この点でコンタクトと基板との安定した電気接続を図ることができる。
【００１４】
コンタクトが、一対のクランプ片の両側に配設される一対の板部と、この板部を連結する連結部とを更に有する場合、一対の板部には一対の前記係止部が各々設けられており、連結部の両端部には、一対の前記接続部が設けられていることが好ましい。このように一対の板部に設けられた一対の係止部を基板の一対の係止孔の縁部に係止させることにより、コンタクトの基板に対する機械的な接続が安定する。
【００１５】
押圧部材は、その両端部がコンタクトの一対の板部に軸支され、一対のクランプ片を押圧する押圧位置からこの押圧が解除される解除位置にかけて回動自在になっていることが好ましい。この場合、押圧部材を解除位置から押圧位置かけて回動させるだけで、当該押圧部材が一対のクランプ片を押圧するようになっている。このため、電子部品の電極部の取り付け及び取り外し作業が簡単になる。
【００１６】
前記両端部及び一対の板部には、押圧部材を押圧位置及び解除位置で位置固定する係止手段が設けられていることが好ましい。この場合、押圧部材が押圧位置及び解除位置で位置固定されるので、電子部品の電極部の取り付け及び取り外しの際に、押圧部材が邪魔になることがない。
【００１７】
また、前記接続装置が基板上に実装される場合、前記接続装置は、コンタクトを収容するボディを更に備えた構成とすることができる。ボディは、基板の係止孔の縁部に係止可能な係止部を有しており、コンタクトは、係止部が基板の係止孔の縁部に係止された状態で、当該基板の接点部に弾性接触する接続部を更に有することが好ましい。
【００１８】
このような接続装置による場合、ボディの係止部を基板の係止孔の縁部に係止させ、コンタクトの接続部を基板の接点部に弾性接触させるだけで、接続装置を基板に機械的且つ電気的に接続することができる。よって、コンタクトの接続部を基板の接点部に半田接続する必要がなく、前記接続装置の基板に対する取り付け及び取り外し作業が簡単になる。また、半田不良が生じる恐れがないので、この点でコンタクトと基板との安定した電気接続を図ることができる。
【００１９】
前記係止部は、先端部が互いに近づく方向に弾性変形可能な略逆Ｕ字状のアーム部と、このアーム部の両先端部に各々設けられ、基板の係止孔の長さ方向の両縁部に係止される一対の係止爪とを有する形状とすることができる。この場合、アーム部の先端部を互いに近づける方向に変位させることにより、一対の係止爪と基板の係止孔の両縁部との係止が簡単に外れるようになっている。よって、接続装置を基板から簡単に取り外すことができる。
【００２０】
押圧部材がボディに一対のクランプ片を押圧する押圧位置からこの押圧が解除される解除位置にかけて回動自在に設けられる構成とすることもできる。この場合、押圧部材を解除位置から押圧位置かけて回動させるだけで、当該押圧部材が一対のクランプ片を押圧するようになっている。このため、電子部品の電極部の取り付け及び取り外し作業が簡単になる。
【発明を実施するための最良の形態】
【００２１】
以下、本発明の実施の形態に係る接続装置について図面を参照しつつ説明する。図１は本発明の実施の形態に係る接続装置の概略的斜視図であって、（ａ）が基板実装前であり且つ電子部品の電極部が接続される前の状態を示す図、（ｂ)が基板実装後であり且つ電子部品の電極部が接続された状態を示す図、図２は同装置の基板実装前であり且つ電子部品の電極部が接続される前の状態を示す図であって、（ａ）が概略的正面図、（ｂ）が概略的側面図、図３は同装置の基板実装後であり且つ電子部品の電極部が接続された状態を示す図であって、（ａ）が概略的正面図、（ｂ）が概略的側面図、（ｃ）がＡ−Ａ断面図、図４は同装置の概略的分解斜視図、図５は同装置のコンタクトを示す図であって、（ａ）が概略的正面図、（ｂ）が概略的背面図、（ｃ）が概略的側面図、（ｄ）が概略的平面図、（ｅ）が概略的底面図、（ｆ）Ｂ−Ｂ断面図、図６は同装置の押圧部材を示す図であって、（ａ）が概略的正面図、（ｂ）が概略的背面図、（ｃ）が概略的側面図、（ｄ）が概略的平面図、（ｅ）が概略的底面図である。
【００２２】
図１に示す接続装置は、電子部品１０が接続可能であり且つ基板２０に実装されるコネクタであって、電子部品１０の電極部１１に電気的且つ機械的に接続されるコンタクト１００と、このコンタクト１００の一対のクランプ片１２０を押圧する押圧位置からこの押圧が解除される解除位置にかけて当該コンタクト１００に回動自在に取り付けられる押圧部材２００とを備えている。以下、詳しく説明する。
【００２３】
電子部品１０は、図１（ｂ）及び図３に示すように、外部電極蛍光ランプ（ＥＥＦＬ；Ｅｘｔｅｒｎａｌ  Ｅｌｅｃｔｒｏｄｅ  Ｆｌｕｏｒｅｓｃｅｎｔ  Ｌａｍｐ  ）であって、ランプ部の長さ方向の両端部に電極部１１が各々設けられた構成となっている。なお、図１（ｂ）及び図３においては、電子部品１０の長さ方向の一端部のみ図示している。
【００２４】
基板２０は、図１（ｂ）及び図３に示すように、周知のプリント基板であって、矩形状の長孔である一対の係止孔２１と、この係止孔２１の内側にコンタクト１００の一対の接続部１６０が弾性接触する図示しない接点部とが設けられている。
【００２５】
コンタクト１００は、図１乃至図５に示すように、導電性を有する金属板をプレス成型したものであって、一端部に電極部１１が当接可能な横向き略Ｕ字状の当接部１１０と、この当接部１１０の他端部の幅方向の両端に連続して設けられた一対のクランプ片１２０と、一対のクランプ片１２０の両側に略平行に配設される一対の板部１３０と、この板部１３０の幅方向の一端部同士を連結する部位であり且つその中間部の上端に当接部１１０の他端部が連続する連結部１４０と、一対の板部１３０の下端部の幅方向の一端部に連続して設けられた一対の係止部１５０と、連結部１４０の両端部に設けられた一対の接続部１６０とを有している。
【００２６】
各板部１３０の上端部の幅方向一端側の角部には、押圧部材２００の軸部２２１を軸支する円形の軸支孔１３１と、軸支孔１３１の周りに設けられた円形の係止孔部１３２、１３３とが設けられている。
【００２７】
係止孔部１３２は軸支孔１３１の側方に位置している。図１（ａ）及び図２（ｂ）に示すように、係止孔部１３２に押圧部材２００の係止凸部２２２ａが嵌まり込むことにより、当該押圧部材２００が上記解除位置で位置固定される。
【００２８】
一方、係止孔部１３３は軸支孔１３１の下方に位置している。図１（ｂ）及び図３（ｂ）に示すように、係止孔部１３３に押圧部材２００の係止凸部２２２ａが嵌まり込むことにより、当該押圧部材２００が上記押圧位置で位置固定される。
【００２９】
このように係止孔部１３２、１３３及び係止凸部２２２ａが押圧部材２００を前記解除位置及び押圧位置で位置固定する係止手段となっている。
【００３０】
各板部１３０の下端部の幅方向の他端部には、係止部１５０が基板２０の係止孔２１の両縁部に係止された状態で、基板２０の面上に当接する当接部１３４が設けられている。この当接部１３４により、係止部１５０が基板２０の係止孔２１に所定以上入り込むのを防止している。
【００３１】
各係止部１５０は、略逆Ｕ字状のアーム部１５１と、このアーム部１５１の両先端部に各々設けられており且つ外側に向けて凸になっている一対の係止爪１５２とを有する。
【００３２】
一対の係止爪１５２は、基板２０の係止孔２１に挿入され、当該係止孔２１の長さ方向の両縁部に係止される。このように係止爪１５２が基板２０の係止孔２１の両縁部に係止されることにより、コンタクト１００が基板２０に機械的に接続される。
【００３３】
アーム部１５１は、両先端部が互いに近づく方向に弾性変形可能になっている。このため、一対の係止爪１５２が基板２０の係止孔２１に挿入され、当該係止孔２１の長さ方向の両内壁面に当接する際に、アーム部１５１が前記弾性変形する。
【００３４】
連結部１４０は、図５（ｂ）に示すように、一対の板部１３０の幅方向の一端部の中央部に連続しており且つ内側に向けて略直角に折り曲げられた略矩形状の一対の側板１４１と、この側板１４１の内側端部の下端の間に設けられた中間板１４２とを有している。
【００３５】
中間板１４２は、その下端面が板部１３０の当接部１３４の下端面と同一平面上に位置している。このため、中間板１４２も、係止部１５０が基板２０の係止孔２１の両縁部に係止された状態で、基板２０の面上に当接するようになっている。
【００３６】
各接続部１６０は、連結部１４０の側板部１４１の中間部の下端に連続する横向き略Ｕ字状の板状体である。この接続部１６０は、その下端部の位置が板部１３０の当接部１３４の下端面及び連結部１４０の中間板１４２の下端面の位置よりも下方に位置している。このため、係止部１５０が基板２０の係止孔２１の両縁部に係止され、板部１３０の当接部１３４及び連結部１４０の中間板１４２の下端面が基板２０の面上に当接した状態で、接続部１６０の下端部が基板２０の接点部に弾性接触する。これにより、コンタクト１００が基板２０に電気的に接続される。
【００３７】
当接部１１０は、連結部１４０の中間板１４２の上端に連続する横向き略逆Ｕ字状の板体である。この当接部１１０は、一端部の先端部が上方に向けて略直角に折り曲げられた折曲部１１１と、他端部の中間部の一部が上方に向けて切り上げられた切上部１１２とを有する。
【００３８】
折曲部１１１は、当接部１１０の一端部の基端部上に当接される電子部品１０の電極部１１の先端面に当接可能になっている。このように電子部品１０の電極部１１の先端面が折曲部１１１に当接することにより、当接部１１０の一端部上で位置決めされる。
【００３９】
切上部１１２は、図５（ｂ）及び図５（ｆ）に示すように、当接部１１０の一端部の下面に当接し、当該当接部１１０の一端部を支持する。これにより、電子部品１０の電極部１１が当接した際に、当接部１１０の一端部が下方に変位しないようにしている。
【００４０】
一対のクランプ片１２０は当接部１１０の他端部から上方に向けて略直角に折り曲げられた矩形状の板体である。この一対のクランプ片１２０は、当接部１１０の一端部の両側に略平行に位置し、互いに対向している。この一対のクランプ片１２０は、押圧部材２００の一対の押圧片２５０の内側面に各々押圧されることにより、互いに近づく方向に弾性変形し、当接部１１０上の電子部品１０の電極部１１に当接する。これにより、電極部１１が一対のクランプ片１２０と当接部１１０の一端部との間で挟持され、コンタクト１００に機械的且つ電気的に接続される。
【００４１】
押圧部材２００は、図１乃至図４及び図６に示すように、樹脂製の射出成型品であって、略矩形状の天板部２１０と、この天板部２１０の長さ方向の両端部の下面に下方に向けて各々設けられた一対の側壁部２２０（押圧部材２００の両端部）と、天板部２１０の幅方向の一端部の下面に下方に向けて設けられており且つ一対の側壁部２２０の幅方向の一端部同士を繋ぐ後壁部２３０と、天板部２１０の中央部の下面に下方に向けて設けられる弾性部２４０と、天板部２１０の幅方向の他端部の中央部の下面に下方に向けて設けられており且つ弾性部２４０と対向する一対の押圧片２５０とを有する。
【００４２】
各側壁部２２０の下端部には一段下がる段差部２２０ａが設けられている。この段差部２２０ａは、図１（ｂ）及び図３（ｂ）に示すように、押圧部材２００が上記押圧位置に位置したとき、コンタクト１００の板部１３０の上端面に当接する。即ち、段差部２２０ａが、押圧部材２００が前記押圧位置を越えて回動しないようにストッパーとして機能するようになっている。
【００４３】
側壁部２２０の下端部の幅方向の一端側の外面には、略円柱状の軸部２２１が設けられている。この軸部２２１の先端部の下端部は、下方に向けて漸次低減するテーパ面となっている。軸部２２１がコンタクト１００の軸支孔１３１に嵌まり込むことにより、押圧部材２００がコンタクト１００に前記押圧位置から上記解除位置にかけて回動自在に取り付けられる。
【００４４】
側壁部２２０の下端部の幅方向の他端側の先端面には、当該側壁部２２０の前記一端側に向けて略１／４円弧状に湾曲する係止アーム２２２が設けられている。この係止アーム２２２の先端部の外面にはドーム状の係止凸部２２２ａが設けられている。この係止凸部２２２ａが係止孔部１３２、１３３に係止されることにより、押圧部材２００が前記解除位置、押圧位置で位置固定される。
【００４５】
後壁部２３０の高さ寸法は、図３（ｂ）に示すように、一対の側壁部２２０の軸部２２１がコンタクト１００の一対の軸支孔１３１に嵌まり込んだ状態で、当該後壁部２３０の下端がコンタクト１００の連結部１４０の一対の側板１４１の上端の若干上方に位置する高さとなっている。また、後壁部２３０は、一対の側壁部２２０の軸部２２１がコンタクト１００の一対の軸支孔１３１に嵌まり込んだ状態で、コンタクト１００の連結部１４０の若干内側に位置する。これにより、後壁部２３０が、押圧部材２００の回動の際に、コンタクト１００の連結部１４０に当接しないようになっている。
【００４６】
後壁部２３０の下端部の中央部には略矩形状の切欠き部２３１が設けられている。切欠き部２３１には、図１（ａ）に示すように、押圧部材２００が前記解除位置にあるとき、コンタクト１００の当接部１１０の一端部が嵌まり込むようになっている。即ち、切欠き部２３１により、押圧部材２００の回動の際に、後壁部２３０が当接部１１０の一端部に干渉しないようになっている。
【００４７】
また、後壁部２３０の下端部の両端部２３２は、図２（ｂ）に示すように、押圧部材２００が前記解除位置に位置したとき、コンタクト１００の一対の側板１４１の上端面に各々当接する。即ち、両端部２３２が、押圧部材２００が前記解除位置を越えて更に回動しないようにストッパーとして機能するようになっている。
【００４８】
各押圧片２５０は、略直角三角形状の突起であって、内側面が先端に向けて漸次低減するテーパ形状となっている。この押圧片２５０の内側面が、クランプ片１２０を内側に向けて押圧する（即ち、前記内側面がクランプ片１２０を押圧する押圧面となる）。
【００４９】
具体的には、図１（ｂ）、図３（ａ）及び図３（ｃ）に示すように、押圧部材２００が上記押圧位置にあるときには、一対の押圧片２５０の内側面が一対のクランプ片１２０を上方から押圧し、内側に弾性変形させる。一方、図１（ａ）及び図２（ａ）に示すように、押圧部材２００が上記解除位置にあるときには、一対の押圧片２５０が一対のクランプ片１２０に接触しない位置に移動し、当該クランプ片１２０に対する押圧が解除される。
【００５０】
弾性部２４０は、その厚みが０．５〜１．５ｍｍの略Ｕ字状の板状体であって、弾性変形可能になっている。この弾性部２４０は、押圧部材２００が前記押圧位置にあるとき、当接部１１０の一端部上に当接した電子部品１０の電極部１１に上方から弾性接触する。これにより、電極部１１が当接部１１０の一端部に押しつけられる。
【００５１】
このような構成の接続装置は、次のように組み立てられ、基板２０に実装される。まず、押圧部材２００を横に寝かした状態で、当該押圧部材２００の一対の側壁部２２０の下端部をコンタクト１００の一対の板部１３０の間に後方から押し込む。すると、一対の側壁部２２０の軸部２２１が一対の板部１３０の軸支孔１３１に嵌まり込む。これにより、押圧部材２００がコンタクト１００に回動自在に取り付けられる。
【００５２】
このとき、一対の側壁部２２０の係止アーム２２２上の係止凸部２２２ａが一対の板部１３０の係止孔部１３２に嵌まり込む。これにより、押圧部材２００が上記解除位置で位置固定される。
【００５３】
その後、コンタクト１００の一対の係止部１５０を基板２０の係止孔２１に挿入する。このとき、各係止部１５０の一対の係止爪１５２が基板２０の係止孔２１の長さ方向の両内壁面に当接する。これと共に、アーム部１５１が弾性変形し、当該アーム部１５１の両先端部が互いに近づく方向に変位する。
【００５４】
そして、コンタクト１００の一対の板部１３０の当接部１３４及び連結部１４０の中間板１４２の下端面が基板２０に当接し、各係止部１５０の一対の係止爪１５２が基板２０の係止孔２１を通過すると、アーム部１５１が弾性変形し、当該アーム部１５１の両先端部が互いに離れる方向に変位する。すると、一対の係止爪１５２が基板２０の係止孔２１の両縁部に係止される。
【００５５】
このとき、コンタクト１００の一対の接続部１６０が基板２０の接点部に弾性接触する。このように半田接続を行うことなく、前記接続装置が基板２０に電気的且つ機械的に接続される。
【００５６】
このように基板２０上に実装された前記接続装置は、電子部品１０が次のように接続される。まず、電子部品１０の電極部１１をコンタクト１００の一対のクランプ片１２０の間に挿入する。すると、電子部品１０の電極部１１がコンタクト１００の当接部１１０の一端部上に当接する。
【００５７】
このとき、当接部１１０の一端部の折曲部１１１に電子部品１０の電極部１１の先端面を当接させる。これにより、電子部品１０の電極部１１が当接部１１０の一端部上で位置決めされる。
【００５８】
その後、押圧部材２００を前記解除位置から前記押圧位置にかけて回動させる。すると、押圧部材２００の一対の係止凸部２２２ａがコンタクト１００の一対の係止孔部１３２から脱する。そして、押圧部材２００の一対の段差部２２０ａがコンタクト１００の一対の板部１３０の上端面に当接する。これと共に、押圧部材２００の一対の係止凸部２２２ａがコンタクト１００の一対の係止孔部１３３に嵌まり込む。これにより、押圧部材２００が前記押圧位置で位置固定される。
【００５９】
この押圧部材２００の回動過程で、押圧部材２００の一対の押圧片２５０がコンタクト１００の一対のクランプ片１２０を互いに近づく方向（即ち、内側）に向けて押圧する。これにより、一対のクランプ片１２０が弾性変形する。これにより、一対のクランプ片１２０が一対の押圧片２５０の内側面に沿って傾斜し、当接部１１０の一端部上の電子部品１０の電極部１１に当接する。これにより、電子部品１０の電極部１１が一対のクランプ片１２０及び当接部１１０により挟持される。
【００６０】
このとき、押圧部材２００の弾性部２４０が当接部１１０の一端部上の電極部１１に上方から弾性接触する。これにより、電極部１１が当接部１１０の一端部上に押しつけられる。このようにして電子部品１０が前記接続装置に機械的且つ電気的に接続される。
【００６１】
この電子部品１０を前記接続装置から取り外すときには、押圧部材２００を前記押圧位置から前記解除位置にかけて回動させる。すると、押圧部材２００の一対の係止凸部２２２ａがコンタクト１００の一対の係止孔部１３３から脱する。そして、押圧部材２００の後壁部２３０の両端部２３２がコンタクト１００の一対の側板１４１の上端面に当接する。これと共に、押圧部材２００の一対の係止凸部２２２ａがコンタクト１００の一対の係止孔部１３２に嵌まり込む。これにより、押圧部材２００が前記解除位置で位置固定される。
【００６２】
この押圧部材２００の回動過程で、押圧部材２００の一対の押圧片２５０がコンタクト１００の一対のクランプ片１２０に接触しない位置に移動し、当該押圧片２５０による一対のクランプ片１２０に対する押圧が解除される。すると、一対のクランプ片１２０が自身の弾性力により、略平行な状態に復帰する。これにより、電子部品１０の電極部１１が一対のクランプ片１２０及び当接部１１０による挟持から開放される。
【００６３】
その後、電子部品１０の電極部１１を一対のクランプ片１２０の間から上方に取り出すことにより、当該電子部品１０を前記接続装置から取り外すことができる。
【００６４】
また、前記接続装置を基板２０から取り外すときには、係止部１５０の一対の係止爪１５２を内側に向けて変位させる。すると、係止部１５０のアーム部１５１が弾性変形する。これにより、一対の係止爪１５２と基板２０の係止孔２１の両縁部との係止が解除される。
【００６５】
そして、一対の係止爪１５２が基板２０の係止孔２１を通過すると、一対の接続部１６０が基板２０の接点部から離れる。このように前記接続装置を基板２０から簡単に取り外すことができる。
【００６６】
上述したような接続装置による場合、電子部品１０の電極部１１がコンタクト１００の一対のクランプ片１２０及び当接部１１０により３方から面で挟持されるようになっている。これに加えて、また、押圧部材２００の弾性部２４０により、電極部１１が当接部１１０の一端部上に押しつけられるようになっている。このため、電子部品１０に外部から負荷が加わったとしても、当該負荷が電極部１１の一部に集中するのを防止することができる。
【００６７】
しかも、一対のクランプ片１２０及び当接部１１０により電極部１１が３方から面接触されると共に、押圧部材２００の弾性部２４０により、電極部１１が当接部１１０の一端部上に押しつけられるようになっているので、従来例に比べてコンタクト１００と電極部１１との安定した電気接続を図ることができる。
【００６８】
更に、押圧部材２００の弾性部２４０が電極部１１を当接部１１０の一端部上に押しつけるようになっていることから、電子部品１０の熱膨張変形等を起因とする浮き上がりを防止することができる。
【００６９】
なお、上記接続装置は、電子部品の電極部が当接可能な板状の当接部と、この当接部の両側に互いに対向するように配設された弾性変形可能な板状の一対のクランプ片とを有するコンタクトと、一対のクランプ片を互いに近づく方向に押圧し、当該クランプ片と当接部との間で前記電極部を挟持させる押圧部材とを備えている限り任意に設計変更することが可能である。
【００７０】
当接部１１０については、電子部品の電極部が当接可能な板状体であれば良い。
【００７１】
一対のクランプ片１２０については、前記当接部の両側に互いに対向するように配設された板状体である限り、任意に設計変更可能である。
【００７２】
接続部１６０については、基板２０に直接的又は間接的に電気的に接続され得るものである限り任意に設計変更することが可能である。例えば、前記接続部を基板２０のスルーホールに挿入し電気接続するようにしたり、基板２０の接点部上に半田接続するようにしたりすることにより、前記接続部を基板２０に直接的に電気接続するようにしても良いし、前記接続部にケーブルを圧着し、当該ケーブルを介して基板２０に間接的に電気接続するようにしても構わない。
【００７３】
係止部１５０については設けるか否かは任意である。例えば、上述の如く、前記接続部が基板２０に半田接続される場合には、当該半田接続により前記コンタクトを基板２０に機械的に接続するようにしても構わないし、ケーブルを介して基板２０に接続される場合等には、前記コンタクトを基板２０に機械的に接続しなくても良い。また、前記接続装置が後述するボディを更に備える場合には、前記係止部をボディに設けるようにしても構わない。
【００７４】
板部１３０については設けるか否かは任意である。即ち、後述の如く、押圧部材がコンタクトに回動自在に設けられない場合には、板部１３０は不要になる。
【００７５】
押圧部材２００については、前記一対のクランプ片を互いに近づく方向に向けて押圧可能なものである限り任意に設計変更することが可能である。
【００７６】
上記実施例では、押圧部材２００はコンタクト１００に回動自在に取り付けられるとしたが、これに限定されるものではない。例えば、前記押圧部材を前記コンタクトに対して上下動可能に取り付け、当該上下動に応じて一対のクランプ片を互いに近づく方向に押圧する構成とすることができる。
【００７７】
また、上記接続装置は、前記コンタクトを収容するボディを更に備えた構成とすることができる。この場合、前記押圧部材を前記コンタクトではなく、前記ボディに回動自在に取り付けるように取り付けるようにしても良いし、前述の如く、上下動可能に取り付けるようにしても良い。
【００７８】
また、前記押圧部材の軸支構造としては、一対のクランプ片を押圧する押圧位置からこの押圧が解除される解除位置にかけて前記コンタクトに回動自在に取り付け得るものである限り、任意に設計変更可能である。例えば、コンタクトの一対の板部に軸部を設ける一方、押圧部材の一対の側壁部に前記軸部が嵌まり込む軸支孔を設けるようにしても良いし、一対の板部及び側壁部に孔部を設け、これに棒部材を通すようにしても良い。この点は、前記ボディを用いる場合も同様である。
【００７９】
前記押圧部材を前記解除位置及び押圧位置で位置固定する係止手段としては、係止孔部１３２、１３３及び係止凸部２２２ａで構成されるとしたが、これに限定されるものではない。例えば、押圧部材の側壁部に前記２つの係止孔部を設ける一方、コンタクトの板部に係止凸部を設けるようにしても良い。この点は、前記ボディを用いる場合も同様である。
【００８０】
また、前記係止手段は、押圧部材を押圧位置及び解除位置で位置固定するだけでなく、その他の位置で押圧部材を位置固定するようにしても構わない。この場合、前記係止孔部をその他の位置に対応する位置に新に設けるようにすれば良い。この点は、前記ボディを用いる場合も同様である。
【００８１】
一対の押圧片２５０については、略直角三角形状の突起であるとしたが、一対のクランプ片を互いに近づく方向に押圧し得るものである限り任意に設計変更可能である。
【００８２】
弾性部２４０については、電子部品の電極部に弾性的に接触可能である限り任意に設計変更可能である。例えば、前記弾性部としてゴムやスプリング等を用いることが可能である。
【００８３】
また、弾性部２４０は、押圧部材２００の天板部２１０の中央部に設けられているとしたが、一対の押圧片の近傍に設けられており且つ一対の押圧片が一対のクランプ片の先端部を押圧した状態で、当接部上の電極部に弾性接触し得る位置に設けられている限りどのような位置に配置するようにしても構わない。
【００８４】
なお、電子部品１０については、外部電極蛍光ランプであるとしたが、これに限定されるものではなく、上記当接部に当接可能であり且つ一対のクランプ片の間で挟持可能な電極部を有するものである限り、どのようなものを用いても構わない。
【００８５】
基板２０については、プリント基板だけに限定されることなく、その他の基板を用いることも当然可能である。
【００８６】
上記接続装置は、前記電子部品の電極部と基板とを電気接続するコネクタ等のその他の接続装置として適応可能である。
【図面の簡単な説明】
【００８７】
【図１】本発明の実施の形態に係る接続装置の概略的斜視図であって、（ａ）が基板実装前であり且つ電子部品の電極部が接続される前の状態を示す図、（ｂ)が基板実装後であり且つ電子部品の電極部が接続された状態を示す図である。
【図２】同装置の基板実装前であり且つ電子部品の電極部が接続される前の状態を示す図であって、（ａ）が概略的正面図、（ｂ）が概略的側面図である。
【図３】同装置の基板実装後であり且つ電子部品の電極部が接続された状態を示す図であって、（ａ）が概略的正面図、（ｂ）が概略的側面図、（ｃ）がＡ−Ａ断面図である。
【図４】同装置の概略的分解斜視図である。
【図５】同装置のコンタクトを示す図であって、（ａ）が概略的正面図、（ｂ）が概略的背面図、（ｃ）が概略的側面図、（ｄ）が概略的平面図、（ｅ）が概略的底面図、（ｆ）Ｂ−Ｂ断面図である。
【図６】同装置の押圧部材を示す図であって、（ａ）が概略的正面図、（ｂ）が概略的背面図、（ｃ）が概略的側面図、（ｄ）が概略的平面図、（ｅ）が概略的底面図である。
【符号の説明】
【００８８】
１０      電子部品
１１      電極部
２０      基板
２１      係止孔
１００    コンタクト
１１０    当接部
１１１    折曲部
１２０    クランプ片
１３０    板部
１３２    係止孔部（係止手段）
１３３    係止孔部（係止手段）
１４０    連結部
１５０    係止部
１５１    アーム部
１５２    係止爪
１６０    接続部
２００    押圧部材
２２０    側壁部（両端部）
２２２ａ  係止凸部（係止手段）
２４０    弾性部
２５０    押圧片
【図１】
0004925982.tif 000002
【図２】
0004925982.tif 000003
【図３】
0004925982.tif 000004
【図４】
0004925982.tif 000005
【図５】
0004925982.tif 000006
【図６】
0004925982.tif 000007